(57)【要約】  【課題】  ライン間引きが行われるビデオ信号による表示に対してグラフィクスデータを容易に重畳できるようにする。  【解決手段】  コントローラ２２は、ライン数がパネル２０の表示可能ライン数よりも多いビデオ信号を表示する際に、ライン間引きを行う。間引きラインを示す信号ＥＮがコントローラ２２から回路２４を介してグラフィックプロセッサ２３に供給される。グラフィックプロセッサ２３は、出力タイミングを信号ＥＮに基づき制御してグラフィクスデータをライン単位で出力する。グラフィックプロセッサ２３の出力は、ミックス回路２１でビデオ信号に対して重畳される。回路２１の出力がコントローラ２２でＬＣＤ２０の駆動信号に変換され、ＬＣＤ２０に供給される。間引きラインのタイミングでグラフィクスデータの出力が制御されるので、ドットパターンの構成や表示制御を、間引きに関わらず共通化できる。【選択図】  図３
2006203307.tif 000002
【特許請求の範囲】
【請求項１】
ビデオ信号による映像と、該ビデオ信号とは別に作成されたグラフィクスデータとを１画面に同時に表示させるための信号処理装置において、
グラフィクスデータをライン単位で出力するグラフィクスデータ出力手段と、
ビデオ信号に対して上記グラフィクスデータ出力手段から出力される上記グラフィクスデータを重畳する重畳手段と、
ビデオ信号に基づき表示素子を駆動し、該ビデオ信号のラインを間引くライン間引き機能を有すると共に、該間引きを行うラインを示す間引きライン情報を出力するようにされた表示駆動手段と
を有し、
上記グラフィクスデータ出力手段から出力される上記グラフィクスデータの出力タイミングを、上記表示駆動手段から出力される上記間引きライン情報に基づき制御するようにしたことを特徴とする信号処理装置。
【請求項２】
請求項１に記載の信号処理装置において、
上記間引きライン情報は、上記表示駆動手段の表示すべきラインのタイミングを示すパルスに基づくことを特徴とする信号処理装置。
【請求項３】
請求項２に記載の信号処理装置において、
上記間引きライン情報は、上記パルスの欠落に基づき上記間引きを行うラインを表すようにしたことを特徴とする信号処理装置。
【請求項４】
請求項２に記載の信号処理装置において、
上記グラフィクスデータ出力手段は、上記パルス毎に１ライン分のドットを出力するようにしたことを特徴とする信号処理装置。
【請求項５】
請求項１に記載の信号処理装置において、
上記表示駆動手段は、表示すべき上記ビデオ信号の有効ライン数よりも表示可能ライン数が少ない上記表示素子を駆動することを特徴とする信号処理装置。
【請求項６】
請求項１に記載の信号処理装置において、
上記表示駆動手段は、有効ライン数の異なる複数のビデオ方式に対応可能であって、該複数のビデオ方式のうち少なくとも１方式は、上記表示素子の表示可能ライン数よりも有効ライン数が少ないことを特徴とする信号処理装置。
【請求項７】
請求項１に記載の信号処理装置において、
上記グラフィクスデータの出力タイミング制御は、上記表示駆動手段が上記重畳手段の出力に基づき上記表示素子を駆動する際に行われることを特徴とする信号処理装置。
【請求項８】
ビデオ信号による映像と、該ビデオ信号とは別に作成されたグラフィクスデータとを１画面に同時に表示させるための信号処理方法において、
グラフィクスデータをライン単位で出力するグラフィクスデータ出力のステップと、
ビデオ信号に対して上記グラフィクスデータ出力のステップにより出力される上記グラフィクスデータを重畳する重畳のステップと、
ビデオ信号に基づき表示素子を駆動し、該ビデオ信号のラインを間引くライン間引き機能を有すると共に、該間引きを行うラインを示す間引きライン情報を出力するようにされた表示駆動のステップと
を有し、
上記グラフィクスデータ出力のステップにより出力される上記グラフィクスデータの出力タイミングを、上記表示駆動のステップにより出力される上記間引きライン情報に基づき制御するようにしたことを特徴とする信号処理方法。
【発明の詳細な説明】
【技術分野】
【０００１】
この発明は、ビデオ信号をライン間引きを行って表示させる際に、当該ビデオ信号に対して当該ビデオ信号とは別に作成された画像を重畳させて表示する際に用いて好適な信号処理装置および方法に関する。
【背景技術】
【０００２】
従来から、放送局などで用いられるビデオ信号の記録再生装置で、本体に小型の表示手段を有し、記録媒体に記録するために外部から入力されたビデオ信号や、記録媒体から再生されたビデオ信号を、外部出力すると同時に本体に設けられた表示手段に映出できるようにされたものが存在する。以下では、本体に設けられる小型の表示装置を、内蔵モニタ装置と呼ぶ。内蔵モニタ装置は、表示素子としてＬＣＤ(Liquid Crystal Display)パネルを用いたものが一般的である。
【０００３】
内蔵モニタ装置は、外部出力されるビデオ信号による映像と同一の映像を映出させる用途の他に、各種設定を行うためのメニュー画面や、装置の状態を示す情報を表示するために用いられることが多い。このような表示は、例えば記録再生装置内のマイクロプロセッサ（以下、マイコンと略称する）で生成され、ビデオ信号による画面と切り換えて表示される。また、メニュー画面や各種状態表示を、ビデオ信号に重畳させて表示させる場合もある。
【０００４】
特許文献１には、本体にモニタ装置を有し、映像信号中の映像に文字情報を重畳することができるようにされた映像処理装置が記載されている。
【特許文献１】特開平１１−１８７３１５号公報
【発明の開示】
【発明が解決しようとする課題】
【０００５】
近年では、より小型でスペースファクタの良い機器が求められている。そのため、内蔵モニタ装置の画面サイズが制限されると共に、表示画面に対して、多様な情報をビデオ信号による映像と共に表示できるようにすることが必要とされている。さらに、装置のコストの低減という点からも、内蔵モニタ装置のサイズが制限される。内蔵モニタ装置のサイズが制限されるのに伴い、内蔵モニタ装置で表示可能なライン数も制限されることになる。
【０００６】
内蔵モニタ装置の表示可能なライン数が表示させるビデオ信号のライン数より少ない場合、ビデオ信号をそのままのライン数で内蔵モニタ装置に供給すると、内蔵モニタ装置に対する映像の表示は、本来のビデオ信号による表示に対して一部が欠けた表示となってしまう。この事態を避けるために、従来から、ビデオ信号を、当該ビデオ信号の有効ライン数よりも表示可能なライン数が少ないＬＣＤパネルに表示する際に、ビデオ信号のライン数をＬＣＤパネルのライン数に合わせて間引きする方法が採られてきた。
【０００７】
表示時のライン間引きについて、概略的に説明する。例えば、内蔵モニタ装置がＬＣＤパネルであるとし、１フィールドの有効ライン数が２６２本であるＰＡＬ方式のビデオ信号を、表示可能ライン数が２４０本のＬＣＤパネルに表示する例について説明する。図１１に概略的に示されるように、ＬＣＤドライバ２００は、入力されたビデオ信号を、ＬＣＤパネル２０１を駆動するための駆動信号に変換する。この駆動信号によりＬＣＤパネル２０１が駆動され、ビデオ信号に応じた表示がなされる。ＬＣＤパネル２０１は、対応するＬＣＤドライバ２００と一対で提供されることが多い。
【０００８】
間引き処理は、ＬＣＤドライバ２００において行われる。ＰＡＬ方式による、ライン数が２６２本のビデオ信号がＬＣＤドライバ２００に入力されると、ＬＣＤドライバ２００は、ＬＣＤパネル２０１の表示可能ライン数に合わせて、ビデオ信号のラインを２２本、間引くことになる。ビデオ信号のどのラインを間引くかは、ＬＣＤドライバ２００の仕様として予め決められている。また、間引きによる画質の劣化を抑えるため、奇数フィールドと偶数フィールドとで、異なるラインを間引くようにしている。
【０００９】
ここで、このようにしてライン間引きを行うようにされたＬＣＤパネル２０１の任意の位置に、各種メニュー表示や文字などのグラフィクスデータを表示する場合について考える。グラフィクスデータは、一般的には、図１２Ａに一例が示されるように、予めドットパターンで作成してＲＯＭなどに格納しておき、表示命令に応じてドットパターンをＲＯＭから読み出し、ＬＣＤドライバ２００に供給する。図１２Ａの例では、水平方向に４画素、垂直方向に６画素（６ライン）のパターンで文字「Ｆ」が表現されている。
【００１０】
この文字「Ｆ」がＬＣＤドライバ２００に供給され、間引き処理される際に、例えば図１２Ｂのように上から３ライン目が間引かれてしまうと、実際にＬＣＤパネル２０１に表示されるイメージは、図１２Ｃのようになり、文字「Ｆ」として成立しなくなってしまう。これを回避するためには、予めラインを間引かれた状態を想定し、図１２Ｄに一例が示されるような、ラインが間引かれても文字として成立するようなドットパターンを、想定される状況に応じて複数種類用意し、文字の表示位置に応じて適切なドットパターンを選択してＬＣＤドライバ２００に供給すればよい。図１２Ｄのパターンでは、上から３ライン目が間引かれた結果は、図１２Ｅのような表示となり、本来の文字「Ｆ」として成立している。
【００１１】
しかしながら、この方法では、文字毎にそれぞれ複数のドットパターンを用意しなくてはならないため、ドットパターンの作成に手間がかかると共に、ドットパターンを格納するＲＯＭも、大容量が必要となってしまうという問題点があった。
【００１２】
また、文字の表示位置に応じて読み出すドットパターンを選択する必要があると共に、上述のように、ＬＣＤドライバ２００は、フィールド毎に異なるラインが間引かれるように制御しているため、フィールド毎に読み出すドットパターンの選択制御を行わなくてはならず、制御が複雑になってしまうという問題点があった。
【００１３】
ところで、ＮＴＳＣ方式のビデオ信号と、ＰＡＬ方式のビデオ信号とを、１台の筐体で扱えるようにした記録再生装置が開発されている。内蔵モニタ装置を有する記録再生装置の場合、１つの内蔵モニタ装置がＮＴＳＣ方式とＰＡＬ方式とで共通して用いられることになる。
【００１４】
ここで、内蔵モニタ装置の表示素子として、上述した２４０ラインが表示可能なＬＣＤパネル２０１を用いる場合について考える。ＮＴＳＣ方式では、ビデオ信号の１フィールドのライン数が２５２本であって、ＬＣＤパネル２０１の表示可能なライン数２４０本と１２ライン分の差がある。そこで、この場合には、１フィールドにおいて、ビデオ信号の上下６ラインずつをカットして、ＬＣＤドライバ２００に供給する。ＬＣＤドライバ２００は、入力されたビデオ信号の１フィールドのライン数がＬＣＤパネル２０１で表示可能であるため、間引きを行わずにＬＣＤ駆動信号に変換してＬＣＤパネル２０１に供給する。上下６ラインずつのカットであれば、実用上、問題にはならないと考えられる。
【００１５】
一方、ＰＡＬ方式のビデオ信号は、１フィールドのライン数が２６２本であって、ＬＣＤパネル２０１で表示可能なライン数の２４０本に対して差分が２２ラインとなる。この場合、ＮＴＳＣ方式の例のように１フィールドにおいてビデオ信号の上下のラインを１１ラインずつカットすると、必要な映像部分が失われるなど、実用上、問題になる可能性がある。そのため、上述したようにして、ＬＣＤドライバ２００において供給されたビデオ信号に対して所定にライン間引きして、ＬＣＤパネル２０１への表示を行う。また、ＰＡＬ方式の場合、ライン間引きに際して上述したような問題があるため、ビデオ信号と、メニュー表示などのグラフィクスデータとを同時に表示することは、好ましくない。
【００１６】
図１３は、このような、ＮＴＳＣ方式のビデオ信号と、ＰＡＬ方式のビデオ信号とを１台の筐体で内蔵モニタ装置を共通的に扱うことができ、且つ、内蔵モニタ装置に対して各種設定や状態表示などを行うメニュー画面を表示できるようにした、従来技術による一例の構成を示す。
【００１７】
ＮＴＳＣ方式またはＰＡＬ方式のビデオ信号は、スイッチ回路３０１の一方の端子に供給され、スイッチ回路３０１を介してＬＣＤドライバ３０２に供給される。ＬＣＤドライバ３０２は、供給されるビデオ信号の方式に合わせて供給される水平同期信号を用いて、供給されるビデオ信号をＬＣＤ駆動信号に変換して、例えば表示可能ライン数が２４０ラインのＬＣＤパネル３０３に供給する。
【００１８】
メニュー画面や文字などのグラフィクスデータを表示するための表示信号は、マイコンなどの命令に基づき、表示信号生成部３００により生成される。例えば、マイコンにより表示すべきグラフィクスデータがＲＯＭから読み出され、表示信号生成部３００に供給される。表示信号生成部３００は、供給されたグラフィクスデータを表示信号に変換して出力する。メニュー画面は、ＬＣＤドライバ３０２において間引きが行われない、ＮＴＳＣ方式の表示信号により表示される。表示生成部３００は、ＮＴＳＣ方式による水平同期信号に基づきメニュー画面などの表示信号を生成する。生成されたこの表示信号は、スイッチ回路３０１の他方の端子に供給され、スイッチ回路３０１を介してＬＣＤドライバ３０２に供給される。
【００１９】
このような構成において、ＮＴＳＣ方式またはＰＡＬ方式のビデオ信号をＬＣＤパネル３０３に表示させるときは、スイッチ回路３０１において一方の端子が選択される。また、メニュー画面などを表示させる場合には、スイッチ回路３０１において他方の端子が選択される。すなわち、この従来の構成においては、ＰＡＬ方式のビデオ信号を表示させる際に、ビデオ信号とメニュー画面とを同時に表示することができないため、ユーザの操作性などを考慮に入れた場合、ＮＴＳＣ方式のビデオ信号を表示する際にも、メニュー画面をビデオ信号と同時に表示しない構成にせざるを得ないという問題点があった。
【００２０】
また、ＰＡＬ方式によるビデオ信号の表示中にスイッチ回路３０１を切り換えて、メニュー画面を表示させる場合、水平同期信号も同時に切り替わることになり、切り替え時に映像が乱れるという問題点があった。
【００２１】
したがって、この発明の目的は、ビデオ信号をライン間引きを行って表示させる際に、ビデオ信号による表示に対して当該ビデオ信号とは別に作成されたグラフィクスデータを容易に重畳できるようにした信号処理装置および方法に関する。
【課題を解決するための手段】
【００２２】
この発明は、上述した課題を解決するために、ビデオ信号による映像と、ビデオ信号とは別に作成されたグラフィクスデータとを１画面に同時に表示させるための信号処理装置において、グラフィクスデータをライン単位で出力するグラフィクスデータ出力手段と、ビデオ信号に対してグラフィクスデータ出力手段から出力されるグラフィクスデータを重畳する重畳手段と、ビデオ信号に基づき表示素子を駆動し、ビデオ信号のラインを間引くライン間引き機能を有すると共に、間引きを行うラインを示す間引きライン情報を出力するようにされた表示駆動手段とを有し、グラフィクスデータ出力手段から出力されるグラフィクスデータの出力タイミングを、表示駆動手段から出力される間引きライン情報に基づき制御するようにしたことを特徴とする信号処理装置である。
【００２３】
また、この発明は、ビデオ信号による映像と、ビデオ信号とは別に作成されたグラフィクスデータとを１画面に同時に表示させるための信号処理方法において、グラフィクスデータをライン単位で出力するグラフィクスデータ出力のステップと、ビデオ信号に対してグラフィクスデータ出力のステップにより出力されるグラフィクスデータを重畳する重畳のステップと、ビデオ信号に基づき表示素子を駆動し、ビデオ信号のラインを間引くライン間引き機能を有すると共に、間引きを行うラインを示す間引きライン情報を出力するようにされた表示駆動のステップとを有し、グラフィクスデータ出力のステップにより出力されるグラフィクスデータの出力タイミングを、表示駆動のステップにより出力される間引きライン情報に基づき制御するようにしたことを特徴とする信号処理方法である。
【００２４】
上述したように、この発明は、グラフィクスデータをビデオ信号に対して重畳して表示素子に表示する際に、グラフィクスデータの出力タイミングを、表示素子を駆動する際になされるライン間引きを行うラインを示す間引きライン情報に基づき制御するようにしているため、グラフィクスデータのドットパターンの構成や表示制御を、表示素子を駆動する際のライン間引きに関わらず共通化できる。
【発明の効果】
【００２５】
この発明は、ビデオ信号とは別に作成された画像データによる表示をビデオ信号の表示に対して重畳する際に、画像データの出力タイミングを、表示素子の駆動回路から出力される、ビデオ信号の間引きラインを示す信号を用いて制御するようにしているため、ドットパターンの構成および表示制御を、ビデオ信号の有効ライン数に関わらず共通化できるという効果がある。
【００２６】
また、この発明は、間引きされるラインのタイミングでＲＡＭからのグラフィクスデータの読み出しも休止されるため、ライン間引きによってグラフィクスデータによる表示データが失われることがない効果がある。また、ライン間引きが行われない場合は、ＲＡＭからのグラフィクスデータの読み出しも休止されないため、ライン間引きを行うか否かに関わらず、共通の処理およびグラフィクスデータを用いて、ビデオ信号による表示と、メニューなどの表示を１画面に同時に表示することができる効果がある。
【発明を実施するための最良の形態】
【００２７】
以下、この発明の実施の一形態について説明する。この発明は、表示すべきビデオ信号とは別に作成されたグラフィクスデータによる表示を、ビデオ信号の表示に対して重畳するようにされ、グラフィクスデータの出力タイミングを、表示素子の駆動回路から出力される、ビデオ信号の間引きラインを示す信号を用いて制御するようにしている。グラフィクスデータの構成および表示制御を、ビデオ信号の有効ライン数に関わらず共通化できる。
【００２８】
図１は、この発明を適用できる記録再生装置１の一例の構成を概略的に示す。ＮＴＳＣ方式またはＰＡＬ方式のアナログビデオ信号がライン入力端１７に入力され、ビデオ記録処理回路１８に供給される。入力されるビデオ信号がＮＴＳＣ方式およびＰＡＬ方式の何れによる信号であるかは、例えば、後述するパネル部１６から設定することができる。なお、ライン入力端１７は、ディジタルビデオ信号を入力するようなものであってもよい。
【００２９】
ビデオ記録処理回路１８は、供給されたアナログビデオ信号を、信号方式に応じてディジタル変換してディジタルビデオ信号とする。このとき、ビデオ信号から垂直ブランキング期間などの表示に有効ではない部分が取り去られる。そして、このディジタルビデオ信号に対して、例えばＭＰＥＧ２(Moving Pictures Experts Group 2)方式に基づき圧縮符号化を施し、さらにエラー訂正符号化処理および記録符号化処理を施し、記録信号に変調して出力する。この記録信号は、回転ヘッド１１に供給され、磁気テープ１０に記録される。
【００３０】
さらに、ビデオ記録処理回路１８は、供給されたアナログビデオ信号を記録モニタ用のモニタ出力としてスイッチ回路１３の一方の端子に供給する。
【００３１】
磁気テープ１０に記録された記録信号が回転ヘッド１１で再生され、ビデオ再生処理回路１２に供給される。ビデオ再生処理回路１２は、回転ヘッド１１から供給された再生信号を復調してディジタルデータとし、このディジタルデータの記録符号およびエラー訂正符号を復号し、さらに圧縮符号を復号してベースバンドのディジタルビデオ信号を得る。そして、このディジタルビデオ信号をアナログ変換すると共に水平同期信号（ＨＤ）、垂直同期信号（ＶＤ）、垂直ブランキング期間などアナログビデオ信号として具備すべき信号を付加してアナログビデオ信号とし、再生出力としてスイッチ回路１３の他方の入力端に供給する。なお、ビデオ再生処理回路１２から、アナログ変換されていないディジタルビデオ信号を出力することは、容易である。
【００３２】
なお、ビデオ再生処理回路１２において出力時に付加される水平同期信号や垂直同期信号は、この記録再生装置１の内部で発生させた信号を用いることができる。また、この記録再生装置１がスタジオなどで用いられる場合は、スタジオ内で他の機器と共通的に用いられるクロックを外部クロックとしてこの記録再生装置１に供給し、この外部クロックに基づき発生させてもよい。
【００３３】
スイッチ回路１３で、再生出力およびモニタ出力の何れかが選択され、選択された側のアナログビデオ信号がスイッチ回路１３から出力される。スイッチ回路１３から出力されたアナログビデオ信号は、ライン出力端１４に導出され外部に出力されると共に、ダウンコンバータ１５を介してパネル部１６に供給される。パネル部１６は、例えばＬＣＤ(Liquid Crystal Display)パネルを表示素子として用いた内蔵モニタ装置と、ユーザからの入力を受け付けるようにされた各種の操作子などを有する。パネル部１６に供給されたアナログビデオ信号は、パネル部１６に設けられた表示装置に表示させてモニタすることができる。
【００３４】
なお、ダウンコンバータ１５は、磁気テープ１０から再生されたビデオ信号がＨＤ(High Definition)のビデオ信号である場合に、ＨＤビデオ信号を、パネル部１６に設けられた表示装置が表示可能なＳＤ(Standard Definition)のビデオ信号にダウンコンバートするために設けられる。
【００３５】
また、この記録再生装置１の全体は、図示されないシステムコントローラにより制御される。例えば、システムコントローラは、プログラムに基づき、装置各部のタイミング制御を行ったり、パネル部１６に設けられた操作子などに対してなされた操作に応じた処理や各種設定動作を行う。
【００３６】
図２は、記録再生装置１の一例の正面レイアウトを示す。カセット挿入口１００は、奥に回転ヘッド１１が設けられ、テープカセットが装填されると、テープカセット内の磁気テープ１０が引き出され、回転ヘッド１１に巻回されてテープがローディングされる。装填されたテープカセットは、カセット挿入口１００の右側に設けられるイジェクトボタンを操作することにより、排出させることができる。
【００３７】
カセット挿入口１００の下部がパネル部１６によるレイアウトとなっている。内蔵モニタ装置としてのＬＣＤパネル２０がパネル部１６の略中央に配置される。ＬＣＤパネル２０の下部に設けられる操作部１０１は、磁気テープ１０の走行や記録再生を制御するためのボタンが配置される。ＬＣＤパネル２０の右側に設けられる操作部１０２は、ジョグダイヤルなどが設けられる。ジョグダイヤルを操作することで、回転操作によりテープの走行速度や再生速度の制御を行うことができる。ＬＣＤパネル２０の左側には、ファンクションボタン１０３が配置される。それぞれのファンクションボタン１０３が持つ機能は、例えばＬＣＤパネル２０の表示モードがメニューモードであるときに、ＬＣＤパネル２０の左端に、各ファンクションボタン１０３の位置に対応して表示される。操作部１０３は、記録や再生の際のオーディオ信号のレベル調整を行うコントローラやヘッドフォンジャックなどが設けられる。
【００３８】
図３は、この発明の実施の一形態によるパネル部１６の一例の構成を示す。また、図４は、パネル部１６の各部における一例の信号を示す。なお、図３において、ユーザからの入力を受け付けるための操作部などの構成は、この発明の主旨と直接的な関係がないので、繁雑さを避けるために省略されている。
【００３９】
ビデオ回路２は、ＮＴＳＣ方式および／またはＰＡＬ方式によるビデオ信号を出力する回路であって、図１におけるダウンコンバータ１５の上流側の構成に相当する。ビデオ回路２は、ビデオ信号と共に、当該ビデオ信号に基づく垂直同期信号ＶＤおよび水平同期信号ＨＤを出力する。図４Ａは、ビデオ回路２から出力されるビデオ信号の例を示す。なお、図４では、簡単のため、１フィールドのビデオ信号が４ラインからなるものとして示し、パネル部１６において、ビデオ信号の４ラインのうち上から３ライン目が間引きされるものとする。
【００４０】
ビデオ回路２から出力されたビデオ信号は、ビデオミックス回路２１に入力される。メニュー画面や文字などのグラフィクスデータによる表示を、ビデオ信号による表示に重畳しない場合は、ビデオ信号は、ビデオミックス回路２１からそのまま出力され、ＬＣＤコントローラ２２に供給される。また、ビデオ回路２から出力された垂直同期信号ＶＤおよび水平同期信号ＨＤがＬＣＤコントローラ２２に供給される。
【００４１】
ＬＣＤコントローラ２２は、ＮＴＳＣ方式およびＰＡＬ方式の何れのビデオ信号が入力されるかを示すＮ／Ｐ信号に基づき、入力されたビデオ信号の方式を判別し、当該ビデオ信号をＬＣＤパネル２０を駆動するためのＬＣＤ駆動信号に変換する。このとき、Ｎ／Ｐ信号がＰＡＬ方式によるビデオ信号が入力されることを示していれば、入力されたビデオ信号のラインをフィールド毎に所定に間引きして、ＬＣＤパネル２０に表示可能なライン数とする。一方、Ｎ／Ｐ信号がＮＴＳＣ方式によるビデオ信号が入力されることを示していれば、入力されたビデオ信号に対するライン間引きを行わず、１フィールドの上下の６ラインずつをカットし、ビデオ信号のライン数をＬＣＤパネル２０の表示可能ライン数に合わせる。
【００４２】
また、ＬＣＤコントローラ２２は、ビデオ信号のフィールドに対する表示開始位置（ライン）を示す表示開始信号ＶＳＴと、ＬＣＤパネル２０に表示する位置（ライン）を示すイネーブル信号ＥＮとを出力する。表示開始信号ＶＳＴおよびイネーブル信号ＥＮは、波形整形回路２４を介してグラフィックプロセッサ２３に供給される。イネーブル信号ＥＮは、波形整形回路２４で所定に波形整形されてグラフィックプロセッサ２３に供給される。
【００４３】
グラフィックプロセッサ２３は、例えば１個のＩＣ(Integrated Circuit)からなり、図示されないマイコンの命令に基づき、文字表示やメニュー表示を行うためのグラフィクスデータを画像信号に変換して出力する。グラフィクスデータは、例えば図示されないマイコンで生成され、グラフィックプロセッサ２３に供給される。これに限らず、グラフィクスデータは、予めコンピュータ装置で作成され、図示されないＲＯＭに記憶される。マイコンから供給された表示制御命令に基づき、ＲＯＭからグラフィクスデータが読み出され、グラフィックプロセッサ２３に供給される。
【００４４】
グラフィクスデータは、例えば、文字や所定のパターンを構成するようにひとまとまりとされた複数の画素データからなるドットパターンにより構成される。画素データは、１ビットからなる２値データでもよいし、Ｒ（赤色）、Ｇ（緑色）およびＢ（青色）のそれぞれに例えば８ビットずつが割り当てられたデータでもよい。
【００４５】
読み出されたグラフィクスデータは、図示されないＲＡＭに一旦書き込まれる。このとき、ＲＡＭ上に１フレーム分の画面が構成されるように、画素データが書き込まれる。画素データのそれぞれは、画面上の表示位置に対応したアドレスが割り当てられる。このようにしてＲＡＭに書き込まれたグラフィクスデータは、所定のタイミングでライン単位で読み出され、ビデオミックス回路２１に供給される。
【００４６】
ここで、グラフィックプロセッサ２３は、ＲＡＭからグラフィクスデータを読み出す際に、ＬＣＤコントローラ２２から出力され波形整形回路２４を介して供給された表示開始信号ＶＳＴおよびイネーブル信号ＥＮに基づき、グラフィクスデータの出力タイミングをライン単位で制御する。すなわち、表示開始信号ＶＳＴのタイミングに基づき示される位置をフィールドの先頭ラインとし、イネーブル信号ＥＮのタイミングに基づき示される位置でグラフィクスデータをライン単位で読み出す。換言すれば、イネーブル信号ＥＮにより、ビデオ信号を表示しないことが示されるラインでは、グラフィクスデータの出力を休止する。
【００４７】
例えば、ＲＡＭに書き込まれているグラフィクスデータの元データが図４Ｂに一例が示されるようなドットパターンであるとし、この元データが図４Ａに示される１フィールドにおける第１ラインから表示されるものとする。ＬＣＤコントローラ２２において、上から３ライン目がライン間引きされる場合、ＲＡＭからグラフィクスデータを読み出す際に、図４Ｃに示されるように、間引きラインに対応するラインのタイミングで読み出しが休止される。
【００４８】
ビデオミックス回路２１は、ビデオ回路２から供給されたビデオ信号に対して、グラフィックプロセッサ２３から供給されたグラフィクスデータを重畳し、ビデオ回路２から供給されたビデオ信号による表示上に、グラフィクスデータによる表示がなされるようにする。ビデオミックス回路２１は、例えば、グラフィックプロセッサ２３からライン単位で供給されたグラフィクスデータをアナログビデオ信号に変換し、グラフィクスデータを構成するドットの存在する位置（タイミング）で、ビデオ回路２から供給されたビデオ信号をグラフィクスデータが変換されたアナログビデオ信号にすげ替える。ビデオ信号に対してグラフィクスデータを重畳する方法は、これに限られない。
【００４９】
ここで、グラフィックプロセッサ２３から供給されるグラフィクスデータは、図４Ｃに示されるように、ＬＣＤコントローラ２２によりライン間引きが行われるラインのタイミングにおいて、出力が休止されている。したがって、ビデオミックス回路２１でビデオ信号に対してグラフィクスデータが重畳されると、図４Ｄに一例が示されるように、ＬＣＤコントローラ２２においてライン間引きが行われるラインにはグラフィクスデータによる表示データが無い状態となる。
【００５０】
ビデオミックス回路２１から出力されたビデオ信号は、ＬＣＤコントローラ２２に供給される。ＬＣＤコントローラ２２は、上述したように、供給されたビデオ信号を、ＬＣＤパネル２０を表示駆動するための駆動信号に変換し、ＬＣＤパネル２０に供給する。ＬＣＤコントローラ２２は、ビデオ信号を駆動信号に変換する際に、必要に応じて所定にライン間引きを行う。図４の例では、図４Ｄに示される状態において上から３ライン目が間引きされる。
【００５１】
その結果、第２ライン目の直下のラインが元のビデオ信号（図４Ａ参照）の第４ラインとなるため、ＬＣＤパネル２０上の表示は、図４Ｅに示されるようになり、グラフィクスデータの元データ（図４Ｂ参照）と同一のイメージが得られる。
【００５２】
このように、この発明によれば、ＬＣＤコントローラ２２において間引きされるラインのタイミングで、ＲＡＭからのグラフィクスデータの読み出しも休止されるため、ライン間引きによってグラフィクスデータによる表示データが失われることがない。また、ライン間引きが行われない場合は、ＲＡＭからのグラフィクスデータの読み出しも休止されない。したがって、この発明を適用することで、ライン間引きを行うか否かに関わらず、共通の処理およびグラフィクスデータを用いて、ビデオ信号による表示と、メニューなどの表示を１画面に同時に表示することができる。
【００５３】
図５は、ＬＣＤパネル２０上になされる表示の、具体的な例を示す。図５Ａは、画面上にメニュー表示や状態表示がなされず、ビデオ信号による映像１１０のみが表示された例である。
【００５４】
図５Ｂは、画面上にビデオ信号による映像１１０を表示させず、メニュー表示や各種状態表示などからなるデータ画面１１１のみを表示させた例である。データ画面１１１は、複数種類の情報がエリア毎に表示できるようにされ、各ファンクションボタン１０３に割り当てられた機能を示すファンクションメニュー表示部１１２、オーディオ信号のレベルメータや設定などを示すオーディオ系表示部１１３、タイムコードや時間情報に関する設定などが表示されるタイムコード系表示部１１４、ビデオ信号のフォーマット情報や、各種設定情報が表示されるフォーマット系表示部１１５およびシステムのコンディションやワーニングなどが表示されるシステム系表示部１１６が設けられる。
【００５５】
このデータ画面１１１を表示するグラフィクスデータは、例えば、予めＲＯＭに格納され、表示の際にマイコンにより読み出され画面を構成するようにＲＡＭに書き込まれる。また、グラフィクスデータは、マイコンにより直接的に作成され、ＲＡＭに書き込まれる。データ画面１１１を構成する各部のグラフィックや文字を、個別のパーツとしてそれぞれ読み出せるようにすることができる。
【００５６】
図５Ｃは、ビデオ信号による映像１１０に対して、グラフィクスデータによる表示を重畳して表示した例である。この図５Ｃの例では、図５Ｂにおいて斜線を付して示されるオーディオレベルメータ部１１３Ａのみが映像１１０に重畳されて表示されている。映像１１０がＰＡＬ方式のビデオ信号である場合に、ビデオ信号がライン間引きされるタイミングに応じて、レベルメータ部１１３Ａを表示するグラフィクスデータのＲＡＭからの読み出しが制御される。
【００５７】
パネル部１６における処理についてより詳細に説明する。図６は、ＰＡＬ方式のビデオ信号が入力されライン間引きを行う場合の、ＬＣＤコントローラ２２から出力される表示開始信号ＶＳＴおよびイネーブル信号ＥＮの例を示す。図６Ａおよび図６Ｂは、ビデオ回路２から供給される垂直同期信号ＶＤ（「ＸＶＤ」と表記）および水平同期信号ＨＤ（「ＸＨＤ」と表記）をそれぞれ示す。この図６の例では、垂直同期信号ＸＶＤから３６ライン目から奇数フィールドの有効表示領域が開始されることが分かる。
【００５８】
なお、この図６において、水平同期信号ＸＨＤおよび後述するイネーブル信号ＥＮが櫛歯状に表現されているが、これらの信号は、実際には、ラインの終端位置に対応して立ち下がり、ラインの開始位置に対応して立ち上がる。
【００５９】
表示開始信号ＶＳＴは、図６の例では、フィールドの有効表示領域の第１ライン目の半ライン前で立ち下がる信号である。表示開始信号ＶＳＴの立ち下がりを検出することで、フィールドの有効表示領域の開始位置を知ることができる。また、イネーブル信号ＥＮは、表示するラインの開始位置で立ち上がり、間引きを行うラインの開始位置では立ち上がらない。イネーブル信号ＥＮがラインの開始位置で立ち上がるか否かを検出することで、対応するラインが間引かれるか否かを知ることができる。図６の例では、イネーブル信号ＥＮに基づき、奇数フィールドでは、表示開始位置から３ライン目で当該フィールドの最初のライン間引きが行われ、以降、７ライン間隔および５ライン間隔の繰り返しでライン間引きを行うことが分かる。
【００６０】
上述したように、イネーブル信号ＥＮは、波形整形回路２４で整形されてグラフィックプロセッサ２３に供給される。図７を用いて波形整形回路２４におけるイネーブル信号ＥＮの整形処理について説明する。図７Ａは、イネーブル信号ＥＮの一部を拡大して示す。波形整形回路２４では、図７Ｂに一例が示されるように、イネーブル信号ＥＮの立ち下がりで立ち上がるパルスを生成する。パルスの幅は、特に限定されない。このパルスが整形後のイネーブル信号ＥＮとして、グラフィックプロセッサ２３に供給される。
【００６１】
図８は、グラフィックプロセッサ２３のうち、タイミング制御に関わる部分の一例の構成を示す。なお、図８は、この発明による動作を実現可能な一例の構成を示すものであって、この例に限定されるものではない。また、図９は、この図８の構成による動作を示すタイミングチャートである。図９では、図４を用いて説明したような、４ラインからなるビデオ信号のうち上から３ライン目が間引きされることを想定している。
【００６２】
図８において、フリップフロップ回路３１のセット端子ＳＥＴに、図９Ａに一例が示されるような、波形整形回路２４で整形後のイネーブル信号ＥＮがスタートパルスとして入力される。この図９Ａの例では、ＬＣＤコントローラ２２において、図４に示される３ライン目がライン間引きされていることが分かる。
【００６３】
スタートパルスにより、フリップフロップ回路３１がセットされ非反転出力からＨ（ハイ）レベルのセット信号が出力される（図９Ｂ）。このセット信号がＡＮＤゲート３２の一方の入力端に入力される。ＡＮＤゲート３２の他方の入力端には、図９Ｃに一例が示されるように、ＬＣＤパネル２０のドットクロックに同期したクロック信号が入力される。ＡＮＤゲート３２では、一方の入力端に入力されたセット信号と、他方の入力端に入力されたクロック信号との論理積をとったクロック信号が出力される。ＡＮＤゲート３２の出力は、カウンタ３３のクロック入力端と、カウンタ３４のクロック入力端とにそれぞれ入力される。
【００６４】
カウンタ３３は、ＡＮＤゲート３２から出力されたクロック信号をカウントし、カウント値がＬＣＤパネル２０の水平方向の表示ドット数に達したら、Ｈレベルの信号を出力する。このＨレベル信号がフリップフロップ回路３１のリセット端子に入力され、フリップフロップ回路３１の非反転出力がロー（Ｌ）レベルとされる。これにより、フリップフロップ回路３１の反転出力がＨレベルとされるので、カウンタ３３がリセットされる。カウンタ３３がリセットされると、フリップフロップ回路３１もリセットされる。カウンタ３３は、次のスタートパルスが立つと、再びカウントを開始する。
【００６５】
これらの結果、ＡＮＤゲート３２から、図９Ｄに一例が示されるような信号が出力される。すなわち、ＬＣＤコントローラ２２においてライン間引きを行わない期間は、ＬＣＤパネル２０の水平方向の表示ドット分だけ、ＬＣＤパネル２０のドットクロックに同期したクロック信号が出力される。一方、ＬＣＤコントローラ２２においてライン間引きを行う期間は、スタートパルスが立たないため、フリップフロップ回路３１がセット状態にならず、ＡＮＤゲート３２からのクロック信号の出力が行われない。
【００６６】
ＡＮＤゲート３２の出力は、カウンタ３４のクロック入力端に入力される。カウンタ３４は、ＡＮＤゲート３２から出力されたクロック信号をカウントしてカウント値を出力し、表示開始信号ＶＳＴでリセットされる。カウンタ３４によるカウント値は、ＲＡＭ(Random Access Memory)３５のアドレス入力端ＡＤＲＳに、アドレスデータとして入力される。
【００６７】
既に説明したように、ＲＡＭ３５は、図示されないマイコンから供給された、１画面分のドットパターンが書き込まれる。すなわち、ＲＡＭ３５には、ＬＣＤパネル２０の１画面分の画素データが、画素毎にアドレスを割り当てられて書き込まれる。ＲＡＭ３５のアドレス入力端ＡＤＲＳに、ＬＣＤパネル２０上の所望の位置に対応するアドレスを入力することで、当該位置の画素データが出力される。ここでは、カウンタ３４の出力を、ＲＡＭ３５のアドレス入力端ＡＤＲＳに入力するアドレスデータとして用いている。上述したように、ライン間引きを行う期間は、ＡＮＤゲート３２からクロック信号が出力されないため、ＲＡＭ３５からの画素データの読み出しがなされず、グラフィクスデータの出力が休止される。
【００６８】
上述では、ＬＣＤコントローラ２２においてライン間引きを行う場合について説明したが、この発明は、ＬＣＤコントローラ２２においてライン間引きが行われない場合に対しても適用できる。例えば、表示可能ライン数が２４０ラインのＬＣＤパネル２０に対してＮＴＳＣ方式によるビデオ信号を表示させる場合、ＬＣＤコントローラ２２においてライン間引きが行われない。
【００６９】
図１０は、ＮＴＳＣ方式のビデオ信号が入力されライン間引きを行わない場合の、ＬＣＤコントローラ２２から出力される表示開始信号ＶＳＴおよびイネーブル信号ＥＮの例を示す。図１０Ａおよび図１０Ｂは、それぞれビデオ回路２から供給される垂直同期信号ＶＤ（ＸＶＤと表記）および垂直同期信号ＨＤ（ＸＨＤと表記）を示す。表示開始信号ＶＳＴの立ち下がりの半ライン後から奇数フィールドの有効表示領域が開始される。
【００７０】
ライン間引きを行わない場合とは、換言すれば、１フィールドの有効ラインが全て出力されることになるので、イネーブル信号ＥＮは、図１０Ｄに示されるように、１フィールドの全ての有効ラインについて、立ち上がりおよび立ち下がりを有する。そのため、図８で示した構成において、１フィールドの全ての有効ラインについてスタートパルスが立てられ、フリップフロップ回路３１の出力がＬＣＤパネル２０の水平方向の表示ドット期間の間、Ｈレベルとされる。したがって、ＡＮＤゲート３２から、１フィールドの全ての有効ラインの期間に、ＬＣＤパネル２０のドットクロックに同期したクロック信号が出力され、カウンタ３４でカウントされる。
【００７１】
このカウントによるカウンタ値に応じてＲＡＭ３５からドットパターンデータが読み出され、ビデオミックス回路２１に供給される。ビデオミックス回路２１は、既に説明したような処理により、供給されたグラフィクスデータをビデオ回路２から供給されたビデオ信号に対して重畳し、ＬＣＤコントローラ２２に供給する。ＬＣＤコントローラ２２は、このグラフィクスデータが重畳されたビデオ信号を、ＬＣＤパネル２０を駆動するための駆動信号に変換し、ＬＣＤパネル２０に供給する。
【００７２】
このように、この発明によれば、ＬＣＤコントローラ２２においてライン間引きを行わない場合でも、ライン間引きを行う場合と共通の処理で、グラフィクスデータとビデオ信号とを同一画面に表示することができる。
【００７３】
なお、上述では、内蔵モニタ装置がＬＣＤパネルを表示素子として用いているとして説明したが、これはこの例に限定されず、この発明は、ドット単位で映像を表示するようにされた表示素子であれば、他の方式による表示素子にも適用することができる。
【００７４】
また、上述では、記録再生装置１は、アナログビデオ信号をディジタル変換して磁気テープ１０に記録するように説明したが、これはこの例に限定されない。すなわち、この発明は、アナログビデオ信号を、ディジタル変換を行わずアナログビデオ信号の形式のまま磁気テープ１０に記録する場合にも、適用可能である。
【００７５】
さらに、上述では、記録再生装置１が記録媒体として磁気テープ１０を用いるように説明したが、これはこの例に限定されない。アナログビデオ信号をディジタル変換して記録媒体に記録する場合には、記録媒体は、ハードディスクや光ディスク、半導体メモリなどを用いることができる。
【００７６】
さらにまた、上述では、表示すべきビデオ信号に対して例えばドットパターンからなるグラフィクスデータを重畳させるように説明したが、これはこの例に限定されない。この発明は、例えば、表示すべきビデオ信号に対して、当該表示すべきビデオ信号とは別に作成されたビデオ信号を重畳させるような場合にも、適用することができる。
【図面の簡単な説明】
【００７７】
【図１】この発明を適用できる記録再生装置の一例の構成を概略的に示すブロック図である。
【図２】記録再生装置の一例の正面レイアウトを示す略線図である。
【図３】この発明の実施の一形態によるパネル部の一例の構成を示すブロック図である。
【図４】パネル部の各部における一例の信号を示す略線図である。
【図５】ＬＣＤパネル上になされる表示の具体的な例を示す略線図である。
【図６】ライン間引きを行う場合の、ＬＣＤコントローラから出力される表示開始信号ＶＳＴおよびイネーブル信号ＥＮの例を示す略線図である。
【図７】波形整形回路におけるイネーブル信号ＥＮの整形処理について説明するための略線図である。
【図８】グラフィックプロセッサのうち、タイミング制御に関わる部分の一例の構成を示すブロック図である。
【図９】グラフィックプロセッサのタイミングに関わる一例の動作を示すタイミングチャートである。
【図１０】ライン間引きを行わない場合の、ＬＣＤコントローラから出力される表示開始信号ＶＳＴおよびイネーブル信号ＥＮの例を示す略線図である。
【図１１】ライン間引きを行う一例の構成を概略的に示すブロック図である。
【図１２】ライン間引きを行う際にドットパターンによる文字表示を行う際の問題点を説明するための略線図である。
【図１３】ＮＴＳＣ方式およびＰＡＬ方式のビデオ信号を１台の筐体で表示手段を共通的に扱い、且つ、表示手段に対してメニュー画面を表示できるようにした、従来技術による一例の構成を示すブロック図である。
【符号の説明】
【００７８】
１  記録再生装置
１６  パネル部
２０  ＬＣＤパネル
２１  ビデオミックス回路
２２  ＬＣＤコントローラ
２３  グラフィックプロセッサ
２４  波形整形回路
３５  ＲＡＭ
【図１】
2006203307.tif 000003
【図２】
2006203307.tif 000004
【図３】
2006203307.tif 000005
【図４】
2006203307.tif 000006
【図５】
2006203307.tif 000007
【図６】
2006203307.tif 000008
【図７】
2006203307.tif 000009
【図８】
2006203307.tif 000010
【図９】
2006203307.tif 000011
【図１０】
2006203307.tif 000012
【図１１】
2006203307.tif 000013
【図１２】
2006203307.tif 000014
【図１３】
2006203307.tif 000015